(57)【要約】【課題】  自動表示メッセージに必要な情報を映像や音声とともに記録する際、記録タイトルのサイズの無駄だけでなく、再生互換性にも問題が生じる恐れがある。【解決手段】  制御部１４は、パケットデータを解析し（ステップＳ１０４，Ｓ１０６）、前記Ｂ−ＣＡＳカードへアクセスすることでＣＡＴに基づいてメッセージを含むＥＭＭのＰＩＤを特定し、同ＣＡＴの中から同ＥＭＭの表示に必要な情報をＳＩＴに保存し（ステップＳ１１０）、同ＳＩＴと同特定したパケットＩＤに基づくＥＭＭの情報を記録時のトランスポートストリームに含む（ステップＳ１０８）ように再構築部１６にて再構築させてから記録再生部１７によって記録媒体１８に記録させている（ステップＳ１０８，Ｓ１１０）。【選択図】  図３
2015119253.tif 000002
【特許請求の範囲】
【請求項１】
デジタルテレビ放送を受信して復調するチューナと、
復調された多重化デジタルテレビ信号のトランスポートストリームを多重分離して所定のパケットデータとする多重分離部と、
分離されたパケットデータに含まれる所定のエレメンタリストリームを使用して記録用のトランスポートストリームを再構築する再構築部と、
再構築されたトランスポートストリームを所定の記録媒体に記録し、または、同記録媒体に記録されている所定のトランスポートを再生する記録再生部と、
所定のパケットデータを含むエレメンタリストリームをデコードするデコーダ部と、
Ｂ−ＣＡＳカードへアクセスして所定の情報を得ることが可能で、前記チューナと前記多重分離部と前記再構築部と前記記録再生部と前記デコーダ部とを制御する制御部を有し、
前記制御部は、パケットデータを解析し、前記Ｂ−ＣＡＳカードへアクセスすることでコンディショナルアクセステーブル（ＣＡＴ）に基づいてメッセージを含むエンタイトルメントマネジメントメッセージ（ＥＭＭ）のパケットＩＤ（ＰＩＤ）を特定し、同ＣＡＴの中から同エンタイトルメントマネジメントメッセージ（ＥＭＭ）の表示に必要な情報をセレクションインフォメーションテーブル（ＳＩＴ）に保存し、同セレクションインフォメーションテーブル（ＳＩＴ）と同特定したパケットＩＤに基づくエンタイトルメントマネジメントメッセージ（ＥＭＭ）の情報を記録時のトランスポートストリームに含むように前記再構築部にて再構築させてから前記記録再生部によって前記記録媒体に記録させることを特徴とするデジタルテレビ放送録画装置。
【請求項２】
前記制御部は、前記ＥＭＭのパケットＩＤを維持しつつトランスポートストリームのパケットとして前記再構築部によって前記記録用のトランスポートストリームを再構築させることを特徴とする請求項１に記載のデジタルテレビ放送録画装置。
【請求項３】
前記制御部は、再生時に、前記ＳＩＴを解析し、前記エンタイトルメントマネジメントメッセージ（ＥＭＭ）の表示に必要な情報が含まれている場合には、同情報に基づいて前記Ｂ−ＣＡＳカードへアクセスすることで表示方法の情報を取得すると共に、同ＳＩＴに含まれるパケットＩＤからエンタイトルメントマネジメントメッセージ（ＥＭＭ）を特定しつつメッセージを取得し、前記表示方法で同メッセージを表示させるように前記デコーダ部に指示することを特徴とする請求項２に記載のデジタルテレビ放送録画装置。
【請求項４】
前記制御部は、前記ＥＭＭの中から所定のメッセージを抽出し、同抽出したメッセージを前記ＳＩＴに含ませ、前記再構築部によって同ＳＩＴのパケットを含むように前記記録用のトランスポートストリームを再構築させることを特徴とする請求項１に記載のデジタルテレビ放送録画装置。
【請求項５】
前記制御部は、再生時に、前記ＳＩＴを解析し、前記エンタイトルマネジメントメッセージ（ＥＭＭ）の表示に必要な情報が含まれている場合には、同情報に基づいて前記Ｂ−ＣＡＳカードへアクセスすることで表示方法の情報を取得すると共に、同ＳＩＴに含まれるメッセージを取得し、前記表示方法で同メッセージを表示させるように前記デコーダ部に指示することを特徴とする請求項４に記載のデジタルテレビ放送録画装置。
【請求項６】
前記制御部は、前記ＥＭＭの中から所定のメッセージを抽出するとともに、前記ＣＡＴに基づいて前記Ｂ−ＣＡＳカードにアクセスし、前記メッセージの表示に必要な表示情報を取得し、同メッセージと前記表示情報を前記ＳＩＴに含ませ、前記再構築部によって同ＳＩＴのパケットを含むように前記記録用のトランスポートストリームを再構築させることを特徴とする請求項１に記載のデジタルテレビ放送録画装置。
【請求項７】
前記制御部は、再生時に、前記ＳＩＴを解析し、前記エンタイトルメントマネジメントメッセージ（ＥＭＭ）の表示に必要な表示情報が含まれている場合には、前記メッセージを抽出すると共に、同表示情報に基づいて同メッセージを表示させるように前記デコーダ部に指示することを特徴とする請求項６に記載のデジタルテレビ放送録画装置。
【請求項８】
前記制御部は、前記ＣＡＴに含まれるＣＡ＿ＤｅｓｃｒｉｐｔｏｒとＣＡ＿Ｓｅｒｖｉｃｅ＿Ｄｅｓｃｒｉｐｔｏｒとを抽出して前記ＳＩＴに含ませることを特徴とする請求項１〜請求項５のいずれかに記載のデジタルテレビ放送録画装置。
【請求項９】
Ｂ−ＣＡＳカードへアクセスして所定の情報を得る作業と並行しつつ、デジタルテレビ放送を受信して復調し、復調された多重化デジタルテレビ信号のトランスポートストリームを多重分離して所定のパケットデータとするとともに、分離されたパケットデータに含まれる所定のエレメンタリストリームを使用して記録用のトランスポートストリームを再構築させ、再構築されたトランスポートストリームを所定の記録媒体に記録し、または、同記録媒体に記録されている所定のトランスポートストリームを再生させ、前記トランスポートストリームから多重分離されたパケットデータを含むエレメンタリストリームを取り出してデコードさせるデジタルテレビ放送録画方法であって、
パケットデータを解析し、前記Ｂ−ＣＡＳカードへアクセスすることでコンディショナルアクセステーブル（ＣＡＴ）に基づいてメッセージを含むエンタイトルメントマネジメントメッセージ（ＥＭＭ）のパケットＩＤ（ＰＩＤ）を特定し、同ＣＡＴの中から同エンタイトルメントマネジメントメッセージ（ＥＭＭ）の表示に必要な情報をセレクションインフォメーションテーブル（ＳＩＴ）に保存し、同セレクションインフォメーションテーブル（ＳＩＴ）と同特定したパケットＩＤに基づくエンタイトルメントマネジメントメッセージ（ＥＭＭ）の情報を記録時のトランスポートストリームに含むように再構築させてから記録媒体に記録させることを特徴とするデジタルテレビ放送録画方法。
【発明の詳細な説明】
【技術分野】
【０００１】
本発明は、デジタルテレビ放送を受信して記録および再生するデジタルテレビ放送録画装置およびデジタルテレビ放送録画方法に関する。
【背景技術】
【０００２】
デジタルテレビでは、デジタルテレビ放送を受信して映像、音声、情報を復元して視聴可能にしている。情報には放送局で含められたメッセージが含まれている場合があり、テレビ放送の受信と同時に視聴する場合に、映像上に重畳して表示されるようになっている。デジタルテレビ放送には映像や音声に加えて多くの情報が含まれており、多くの情報は視聴に必須なものではなく、不要な情報は処理されることもない。
【０００３】
デジタルテレビ放送を受信する装置やシステムとして、特許文献１〜６に示すものが知られている。
特許文献１は、放送システムでのメッセージ伝送方法に関し、特に、送信側で自動表示メッセージの番号をＥＭＭで送信し、実際のメッセージはデータ放送やＳＩなどの大きなサイズのデータ送信に適した方法で送信する技術を開示している。
【０００４】
特許文献２は、デジタル放送受信機の通電制御処理システムに関し、ＥＭＭの通電制御処理が中断された際に、途中から再開したり、電源オフがなされた場合には最小の回路のみ通電してEMM処理を継続する技術を開示している。放送システムでのメッセージ伝送方法に関するものである。
特許文献３は、デジタル放送視聴システムに関し、共通メッセージから自動表示メッセージを作成する技術を開示している。また、請求項２には、自動表示メッセージをＢ−ＣＡＳ  ＩＣカードおよびＥＭＭ共通メッセージを用いて作成してディスクリプタ形式で保持し、自動表示メッセージを読むために必要な信号をＡＶ／Ｃディスクリプタコマンドを用いて作成する技術が開示されている。
【０００５】
特許文献４は、パケット送信装置に関し、パケット送受信機器間での信号の互換性を確保する技術を開示する。また、請求項２と請求項５には、入力ストリームに含まれるコンテンツデータに関するデスクリプタを生成し、入力ストリームに挿入する技術が開示されている。
特許文献５は、暗号化されたデータ・ストリームの処理装置と処理方法に関し、解読用メッセージを取り除く技術を開示する。また、請求項１と請求項１０には、解読用メッセージあたりの解読要素の数を検出し、解読メッセージを提供するための位置を決定する。暗号化されたデータ・ストリームから最初に提供された解読用メッセージを取り除くといった技術が開示されている。
【０００６】
特許文献６は、デジタルテレビジョンステ―タスディスプレイに関し、フォーマット変換に関する情報を表示する。また、請求項２と請求項５には、表示装置との互換性を有するフォーマットに変換する画像フォーマット変換器を含むステータス表示方法であって、受信された信号のフォーマット、および現在実行されている任意のフォーマット変換に関する情報を表示する技術が開示されている。
【先行技術文献】
【特許文献】
【０００７】
【特許文献１】特開２０００−１３４１６６号公報
【特許文献２】特開２００２−３２５２４０号公報
【特許文献３】特開２００５−０２０３５８号公報
【特許文献４】特表ＷＯ２００７／０１０７７９号公報
【特許文献５】特表２００８−５３９６４０号公報
【特許文献６】特開２０００−１１５６５７号公報
【発明の概要】
【発明が解決しようとする課題】
【０００８】
従来は、放送局で含められたメッセージが情報に含まれている場合、テレビ放送の受信と同時に視聴する場合にのみ、映像上に重畳して表示されていた。そして、いわゆる録画しておいて、後で再生する場合には、このようなメッセージは処理されることもなかった。
また、いずれの特許文献においても、受信側でメッセージを記録する技術ではない。特に、CA_DescriptorとCA_Service_Descriptorだけを取り出す構成もない。この他、録画時の容量軽減や再生互換性悪化の回避という課題もある。
【０００９】
一方、録画コンテンツで自動表示メッセージを表示しようとするためには、自動表示メッセージに必要な情報を映像や音声とともに記録する必要が生じる。しかし、必要な情報であるコンディショナルアクセステーブル（ＣＡＴ）やエンタイトルメントマネジメントメッセージ（ＥＭＭ）、関連Ｄｅｓｃｒｉｐｔｏｒをそのまま記録すると、記録タイトルのサイズの無駄だけでなく、再生互換性にも問題が生じる恐れがある。
【００１０】
本発明は、再生互換性を保持しつつ、受信側でメッセージを記録して再生するデジタルテレビ放送録画装置およびデジタルテレビ放送録画方法を提供する。
【課題を解決するための手段】
【００１１】
本発明は、デジタルテレビ放送を受信して復調するチューナと、復調された多重化デジタルテレビ信号のトランスポートストリームを多重分離して所定のパケットデータとする多重分離部と、分離されたパケットデータに含まれる所定のエレメンタリストリームを使用して記録用のトランスポートストリームを再構築する再構築部と、再構築されたトランスポートストリームを所定の記録媒体に記録し、または、同記録媒体に記録されている所定のトランスポートを再生する記録再生部と、所定のパケットデータを含むエレメンタリストリームをデコードするデコーダ部と、Ｂ−ＣＡＳカードへアクセスして所定の情報を得ることが可能で、前記チューナと前記多重分離部と前記再構築部と前記記録再生部と前記デコーダ部とを制御する制御部を有し、前記制御部は、パケットデータを解析し、前記Ｂ−ＣＡＳカードへアクセスすることでコンディショナルアクセステーブル（ＣＡＴ）に基づいてメッセージを含むエンタイトルメントマネジメントメッセージ（ＥＭＭ）のパケットＩＤ（ＰＩＤ）を特定し、同ＣＡＴの中から同エンタイトルメントマネジメントメッセージ（ＥＭＭ）の表示に必要な情報をセレクションインフォメーションテーブル（ＳＩＴ）に保存し、同セレクションインフォメーションテーブル（ＳＩＴ）と同特定したパケットＩＤに基づくエンタイトルメントマネジメントメッセージ（ＥＭＭ）の情報を記録時のトランスポートストリームに含むように前記再構築部にて再構築させてから前記記録再生部によって前記記録媒体に記録させる構成としてある。
【００１２】
前記構成において、制御部による制御の下で、チューナがデジタルテレビ放送を受信して復調すると、多重分離部は復調された多重化デジタルテレビ信号のトランスポートストリームを多重分離して所定のパケットデータとする。記録するには、再構築部が分離されたパケットデータに含まれる所定のエレメンタリストリームを使用して記録用のトランスポートストリームを再構築すると、記録再生部は再構築されたトランスポートストリームを所定の記録媒体に記録する。記録されたものは、同記録再生部が同記録媒体に記録されている所定のトランスポートとして再生する。デコーダ部は、多重分離部がトランスポートストリームから分離した所定のエレメンタリストリームを取り出してデコードするので、デコードされた映像や音声あるいはデータを所定の表示部などで視聴可能となる。なお、以上の処理を実行する際に各種の暗号複合化の処理が必要となり、制御部がＢ−ＣＡＳカードへアクセスして所定の情報を得ることでこれを実現している。
【００１３】
一方、メッセージの記録に関して、前記制御部は、パケットデータを解析し、前記Ｂ−ＣＡＳカードへアクセスすることでコンディショナルアクセステーブル（ＣＡＴ）に基づいてメッセージを含むエンタイトルメントマネジメントメッセージ（ＥＭＭ）のパケットＩＤ（ＰＩＤ）を特定しつつ、同コンディショナルアクセステーブル（ＣＡＴ）の中からエンタイトルメントマネジメントメッセージ（ＥＭＭ）のパケットＩＤ（ＰＩＤ）の表示に必要な情報を取得する。そして、同表示に必要な情報だけをセレクションインフォメーションテーブル（ＳＩＴ）に保存し、同セレクションインフォメーションテーブル（ＳＩＴ）と同特定したパケットＩＤに基づくエンタイトルメントマネジメントメッセージ（ＥＭＭ）の情報を記録時のトランスポートストリームに含むように前記再構築部にて再構築させてから前記記録再生部によって前記記録媒体に記録させる。
【００１４】
再生時はセレクションインフォメーションテーブル（ＳＩＴ）からＥＭＭのパケットＩＤ（ＰＩＤ）の取得に必要なコンディショナルアクセステーブル（ＣＡＴ）の中の情報を得られるから、互換性を維持できる。また、特定したエンタイトルメントマネジメントメッセージ（ＥＭＭ）の情報は記録時のトランスポートストリームに含まれるので、放送波の視聴のときと同様にメッセージの再生が行われる。
【発明の効果】
【００１５】
本発明によれば、コンディショナルアクセステーブル（ＣＡＴ）の中からＥＭＭのパケットＩＤ（ＰＩＤ）の取得に必要な情報をセレクションインフォメーションテーブル（ＳＩＴ）に保存しているので、再生後も高い互換性を保持しつつ、メッセージを記録および再生することが可能なデジタルテレビ放送録画装置およびデジタルテレビ放送録画方法を提供できる。
【図面の簡単な説明】
【００１６】
【図１】本発明の一実施形態にかかるデジタルテレビ放送録画装置のブロック図である。
【図２】再構築の際のパケットデータの移行状況を示す模式図である。
【図３】録画時の制御部１４による制御に対応したフローチャートである。
【図４】再生時の制御部１４による制御に対応したフローチャートである。
【図５】再構築の際のパケットデータの移行状況を示す模式図である。
【図６】録画時の制御部１４による制御に対応したフローチャートである。
【図７】再生時の制御部１４による制御に対応したフローチャートである。
【図８】再構築の際のパケットデータの移行状況を示す模式図である。
【図９】録画時の制御部１４による制御に対応したフローチャートである。
【図１０】再生時の制御部１４による制御に対応したフローチャートである。
【発明を実施するための形態】
【００１７】
以下、図面にもとづいて本発明の実施形態を説明する。
（実施例１）
図１は、本発明の一実施形態にかかるデジタルテレビ放送録画装置をブロック図により示している。
チューナ１１はデジタルテレビ放送を受信して復調する。なお、復調と共に、所定の誤り訂正処理も行われる。復調されたデジタルテレビ放送信号はデマルチプレクサ（ＤＥＭＵＸ）１２に入力される。デマルチプレクサ１２は、主に多重分離部１３と制御部１４の機能を実現するものであり、多重分離部１３は復調された多重化デジタルテレビ信号のトランスポートストリームを多重分離して所定のパケットデータを生成する。パケットデータは、その内容に応じてパケットＩＤを割り当てられており、映像や音声のエレメントストリームを分割したパケットデータ以外にも様々な制御や管理などに利用されるパケットデータを含んでいる。
【００１８】
同分離されたパケットデータは、再生出力を行うデコーダ部１５と記録を行う再構築部（ＲＥＭＵＸ）１６とで利用される。再構築部１６は、分離されたパケットデータのうち、所定のエレメンタリストリームを再現するのに必要なパケットデータと、他の必要な制御用のパケットデータと使用して記録用のトランスポートストリームを再構築する。放送波に含まれる全てのパケットデータを利用するのではなく、再生に必要となる主なパケットデータだけを利用している。詳細については後述する。
【００１９】
再構築されたトランスポートストリームは記録再生部１７に入力され、ＨＤＤなどの記録媒体１８に記録される。記録再生部１７は再生にも関与し、同記録媒体１８に記録されている所定のトランスポートを読み出されると、多重分離部１３が再度多重分離して所定のパケットデータとする。
デマルチプレクサ１２内では制御部１４による各種の処理が実現されており、視聴に利用される映像や音声のパケットデータはデコードに適したエレメンタリストリームとしてデコーダ部１５に出力され、同デコーダ部１５が映像信号や音声信号にデコードする。なお、本実施例のデコーダ部１５は自動表示メッセージを映像画面に重畳する処理も行なうが、別の処理部でこのような重畳を行うものとしても、デコーダ部１５での表示と称することにする。
【００２０】
制御部１４は、総合的な制御を司り、前記チューナ１１と前記多重分離部１３と前記再構築部１６と前記記録再生部１７と前記デコーダ部１５とを制御する他、Ｂ−ＣＡＳカード１９へアクセスする処理も司る。なお、Ｂ−ＣＡＳカードへのアクセスは、他の作業と並行して随時行われる。
デジタルテレビ放送信号の再生にはさまざまな状況でＢ−ＣＡＳカード（Ｂ−ＣＡＳ  ＩＣカードとも呼ばれる）１８へアクセスして所定の情報を得ることが必要であり、制御部１４は必要な状況でＢ−ＣＡＳカード１９にアクセスする。Ｂ−ＣＡＳカード１９は暗号化された放送番組の解読に必要な情報の提供に加え、各種の制御に必要な情報を提供する。その一例として、エンタイトルメントマネジメントメッセージ（ＥＭＭ）に含まれる自動表示メッセージを表示する際、表示方法や表示時間などは、コンディショナルアクセステーブル（ＣＡＴ）の中のＣＡ＿ＤｅｓｃｒｉｐｔｏｒとＣＡ＿Ｓｅｒｖｉｃｅ＿Ｄｅｓｃｒｉｐｔｏｒが必要となる。
【００２１】
本実施例では、パケットデータの中から必要な情報を取り出し、セレクションインフォメーションテーブル（ＳＩＴ）に記録することで、記録サイズの削減と再生互換性の確保を可能にする。
図２は、再構築の際のパケットデータの移行状況を示す模式図である。
放送波ＴＳとあるのは、デジタルテレビ放送信号を復調した後のトランスポートストリームを指しており、記録ＴＳとあるのは、再構築部１６がパケットデータからトランスポートストリームを再構築したものを指している。
【００２２】
図に示す表において、左欄にパケットＩＤ（ＰＩＤ）を示し、右欄に同パケットＩＤを割り当てられたパケットの種類を示している。パケットには非常に多くの種類のパケットが定められており、放送波ＴＳに含まれるパケットは必要に応じて放送局の側で生成して放送されている。これに対して記録ＴＳに含まれるパケットは家庭等で録画した番組の再生に必要な最低限のものだけを含めている。
【００２３】
ここで表中のパケットの主要なものについて説明する。
ＰＡＴ（Program Association Table）は、あるTS内に含まれるプログラム一覧を、ＰＭＴのＰＩＤ一覧で格納したものであり、ＰＡＴのＰＩＤは必ず０と決まっている。
ＣＡＴ（Conditional Access Table）は、限定受信をサポートする情報が含まれている。ＣＡＴのＰＩＤは必ず１と決まっている。
【００２４】
ＮＩＴ（Network Information Table）は、チャンネル番号や変調方式、ガードインターバルなど、送信するネットワークに関する情報が含まれている。ＮＩＴのＰＩＤは必ず０ｘ１０と決まっている。
ＳＤＴ（Service Description Table）は、チャンネルの名称が含まれている。また各チャンネル（サービス）で送出されるEITの種類、デジタルコピー制御情報も含まれる。ＳＤＴのＰＩＤは必ず０ｘ１１と決まっている。
【００２５】
ＥＩＴ（Event Information Table）は、番組の名称や放送日時、放送内容など番組に関連する情報が含まれる。EPGは主にこの情報を用いて作成される。ＥＩＴのＰＩＤは必ず0x12と決まっている。このＥＩＴはその示す内容により自局の現在及び次の番組、他局の現在及び次の番組、自局のそれ以外を含む番組、他局のそれら以外を含む番組の４種類に大別され、自局の現在及び次の番組に関する情報は必ず送出する必要があるがその他の情報は送出が任意であり、また送出の頻度も重要性に応じて小さくすることができる。
【００２６】
ＴＯＴ（Time Offset Table）は、現在の日付、時刻、およびサマータイムの情報が含まれる。ＴＯＴのＰＩＤは０ｘ１４と決まっている。
ＰＭＴ（Program Map Table）は、あるプログラムに含まれる画像や音声などの各ＰＩＤを格納したものである。ＰＭＴから画像や音声などのＰＩＤを得ることが出来れば、それらＰＩＤのついたTSパケットを抽出することでプログラムを再生できる。
【００２７】
ＥＭＭ（Entitlement ManagementMessage）は、加入者毎の契約情報および共通情報の暗号を解くためのワーク鍵を含む個別情報の伝送に使用されるものであり、自動表示メッセージやメールのメッセージなども含まれる。
ＳＩＴ（Selection Information Table）は、パーシャルトランスポートストリームで伝送される番組に関する情報の指示などに使用される。
ＥＣＭ（Entitlement Control Message）は、番組情報（番組に関する情報とデスクランブルのための鍵など）および制御情報（デコ−ダのデスクランブル機能の強制オン／オフの指令）からなる共通情報の伝送などに使用される。
【００２８】
個々のプログラムにより、含まれる画像や音声やデータ放送は異なり、必要に応じてパケットＩＤが割り振られてパケットデータとされて伝送されるとともに、割り振ったパケットＩＤとその内容との対応がＰＭＴに記述されることになる。図の表に示す例では、映像については０ｘ１０２、音声は主音声は副音声として０ｘ１０３と０ｘ１０４、字幕は０ｘ１０５、データ放送は二種類提供されて０ｘ１０６，０ｘ１０７がそれぞれ割り振られている。音声がさらに多国の場合はそれぞれの音声毎にパケットＩＤが割り振られるし、字幕やデータ放送についても同様に割り振られていく。
【００２９】
一方、放送局から個別の受信機に対して自動表示メッセージの表示やメールの表示などを行いたい場合に、ＥＭＭを利用することが可能である。
放送波ＴＳに対して、記録ＴＳには上述した各種のパケットの中から必要なものとして、ＰＡＴ，ＳＩＴ，ＰＭＴに加え、映像と、一つの音声と、ＥＭＭのパケットデータを記録することにしている。その他の情報は、放送波ＴＳには含まれていても全て無視し、記録ＴＳとして再構築する際には利用されない。
【００３０】
放送時に、ＥＭＭによって自動表示メッセージの表示する際には、ＣＡＴよりＢ−ＣＡＳカードへ問い合わせを行うための情報と、再生ストリームからＥＭＭを特定するための情報を取り出している。
従って、リアルタイムに放送中の番組を表示しない場合でも、録画記録する場合には少なくとも自動表示メッセージの表示に必要な情報を記録しておくことが必要である。
【００３１】
図３は、録画時の制御部１４による制御に対応したフローチャートである。
ステップＳ１０２にて録画が開始された場合、ステップＳ１０４にて制御部１４はＣＡＴを取得し、解析する。これは、録画開始時にパケットデータの中でパケットＩＤとして０ｘ０１が付与されているものがあれば、実行される処理の一つと言える。自動表示メッセージの表示する際には、ＣＡＴよりＢ−ＣＡＳカードへ問い合わせを行うための情報と、再生ストリームからＥＭＭを特定するための情報が必要であり、これらの情報はCA_DescriptorとCA_Service_Descriptorに記載されているため、ステップＳ１０６ではＣＡＴを解析してCA_DescriptorとCA_Service_Descriptorが含まれていなければ、ステップＳ１１２にて他の必要な処理を実行することになる。なお、ＣＡＴを解析するのは、録画開始時、録画開始前、録画中のいずれであってもよい。録画開始前であってもＣＡＴを解析する必要はあるので、その際にCA_DescriptorとCA_Service_Descriptorが含まれていれば、その旨を表すフラグを立てておき、ステップＳ１０４，Ｓ１０６の代わりに同フラグがたっているか否かを判断すればよい。番組録画中に自動表示メッセージが送信される場合にも対処するのであれば、録画中にも継続的に判断するようにすればよいし、そのような状況に対応する必要がないのであれば、録画開始時または録画開始前だけＣＡＴの解析処理を実行してもよい。
【００３２】
一方、CA_DescriptorとCA_Service_Descriptorが含まれている場合は、自動表示メッセージの表示が必要であるものと判断し、ステップＳ１０８では同自動表示メッセージの内容を含むＥＭＭを記録する。なお、ＥＭＭを特定するにはパケットＩＤなどが必要であるが、この特定に必要な情報は、制御部１４がCA_DescriptorとCA_Service_Descriptorに基づいてＢ−ＣＡＳカード１９へアクセスすることで当該特定に必要な情報を取得する。そして、同情報に基づいてＥＭＭを特定する。
【００３３】
さらに、制御部１４は、再構築部１６がパケットデータを集めて記録ＴＳを再構築する際に、所定のパケットＩＤを与えて同記録ＴＳに含ませる。なお、本実施例ではパケットＩＤは変更せずに０ｘ９００のままとし、ＰＭＴについてもＥＭＭのパケットＩＤに関しては変更しない。
制御部１４は再構築部１６に対して明示的にＥＭＭのパケットを記録ＴＳに含めるように指示するものであっても良いし、再構築部１６が明示的に否定的な指示がない限りＥＭＭがあれば同様に記録ＴＳに含めるようにするものであってもよい。
【００３４】
次に、ステップＳ１１０では、ＳＩＴにＣＡＴの中からCA_DescriptorとCA_Service_Descriptorだけをのせて記録する。ＳＩＴへの記録内容は比較的自由であり、CA_DescriptorとCA_Service_Descriptorをそのまま載せる。
再構築部１６が記録ＴＳを再構築する際には、所定のパケットＩＤを付されたＳＩＴとＥＭＭのパケットがコンテンツと共に記録されるが、他の制御用のパケットはほぼ省略されていることが分かる。この結果、記録容量を削減しつつ、自動表示メッセージの表示に必要な情報は記録できたことになる。また、ＥＭＭのパケットＩＤは放送局の側で決められたままのものであって記録時に変更していないので、互換性に影響を与えることもない。
【００３５】
このように、制御部１４は、パケットデータを解析し（ステップＳ１０４，Ｓ１０６）、前記Ｂ−ＣＡＳカードへアクセスすることでコンディショナルアクセステーブル（ＣＡＴ）に基づいてメッセージを含むエンタイトルメントマネジメントメッセージ（ＥＭＭ）のパケットＩＤ（ＰＩＤ）を特定し、同ＣＡＴの中から同エンタイトルメントマネジメントメッセージ（ＥＭＭ）の表示に必要な情報をセレクションインフォメーションテーブル（ＳＩＴ）に保存し（ステップＳ１１０）、同セレクションインフォメーションテーブル（ＳＩＴ）と同特定したパケットＩＤに基づくエンタイトルメントマネジメントメッセージ（ＥＭＭ）の情報を記録時のトランスポートストリームに含む（ステップＳ１０８）ように再構築部１６にて再構築させてから記録再生部１７によって記録媒体１８に記録させている（ステップＳ１０８，Ｓ１１０）と言える。
むろん、かかる処理の流れは、その時間的処理の手順に関し、デジタルテレビ放送録画方法を開示しているものと言える。
【００３６】
特に、制御部１４は、ＥＭＭのパケットＩＤを維持しつつ（ステップＳ１０８）トランスポートストリームのパケットとして再構築部１６によって記録用のトランスポートストリーム（記録ＴＳ）を再構築させている。
その後、ステップＳ１１４で他の処理を実行する。例えば、コンテンツに関するパケットの制御などを実行することになる。
【００３７】
図４は、再生時の制御部１４による制御に対応したフローチャートである。
コンテンツを再生する際には、ＳＩＴ解析の際にCA_DescriptorとCA_Service_Descriptorを解析する事で、Ｂ−ＣＡＳカードへ問い合わせを行うための情報と、再生ストリームからＥＭＭを特定するための情報を得る事が可能になる。そして、取り出した情報から、Ｂ−ＣＡＳカードへ問い合わせを行い、再生ストリームよりＥＭＭを取り出し、自動表示メッセージの表示を行う。
【００３８】
具体的には、制御部１４は、ステップＳ１２２にて、再生を開始させる。制御部１４は、所定のメニューに対するユーザからの操作を入力し、記録再生部１７に対して対応するコンテンツの記録ＴＳを読み出させる。これが再生ストリームとなる。前記制御部１４は、再生ストリームを多重分離部１３にてパケットデータに分離させる。分離されたパケットデータの中にＳＩＴがあるか否かをステップＳ１２４にて判断する。ＳＩＴの有無の判断はこの処理のために実施するだけでなく、通常の再生処理でＳＩＴが含まれていれば、それに基づく処理を実行することになっているので、その処理をきっかけにして図４の処理が実行されても良い。
【００３９】
ＳＩＴが含まれている場合、制御部１４は、ステップＳ１２６にて、ＳＩＴにCA_DescriptorとCA_Service_Descriptorがあるか否かを判断する。あるのであれば、「再生時に、前記ＳＩＴを解析し、前記エンタイトルメントマネジメントメッセージ（ＥＭＭ）の表示に必要な情報が含まれている」と判断することができる。そして、ステップＳ１２８では、制御部１４は、同情報に基づいてＢ−ＣＡＳカード１９へアクセスすることで表示方法の情報を取得する。表示方法は、一例として、画面の左右方向における左側と中央と右側の位置の指定と画面の上下方向における上側と中央と下側の位置の指定がある。また、表示時間の指定も含まれることがある。さらにＢ−ＣＡＳカード１９からは同メッセージが含まれるＥＭＭのパケットＩＤの情報も得られる。上述したように、本実施例ではＥＭＭのパケットＩＤは放送時のものを維持しているから、制御部１４は、ステップＳ１３０にて、Ｂ−ＣＡＳカード１９から得られたＥＭＭのパケットＩＤに基づいてのＥＭＭを特定しつつメッセージを取得する。そして、ステップＳ１３２にて、制御部１４は、前記表示方法でこの自動表示メッセージを表示させるようにデコーダ部１５に指示する。
この結果、放送時に放送波ＴＳに自動表示メッセージが含まれていた場合は再生時であっても再現して表示させることが可能となる。
その後、ステップＳ１３４では、再生に必要な他の処理を実行する。
【００４０】
このように、制御部１４は、再生時に、前記ＳＩＴを解析し（ステップＳ１２４，Ｓ１２６）、前記エンタイトルメントマネジメントメッセージ（ＥＭＭ）の表示に必要な情報が含まれている場合には（ステップＳ１２６）、同情報に基づいて前記Ｂ−ＣＡＳカードへアクセスすることで表示方法の情報を取得する（ステップＳ１２８）と共に、同ＳＩＴに含まれるパケットＩＤからエンタイトルメントマネジメントメッセージ（ＥＭＭ）を特定しつつメッセージを取得し（ステップＳ１３０）、前記表示方法で同メッセージを表示させるようにデコーダ部１５に指示している（ステップＳ１３２）。
【００４１】
（実施例２）
図５は、再構築の際のパケットデータの移行状況を示す模式図であり、図６は、録画時の制御部１４による制御に対応したフローチャートである。
前述した実施例では、パケットＩＤを維持した状態でＥＭＭを記録ＴＳに含ませていた。本実施例では、ＥＭＭ自体を記録しないものとしている。
ステップＳ２０２，Ｓ２０４，Ｓ２０６は、それぞれ上述したステップＳ１０２，Ｓ１０４，Ｓ１０６と同様である。
【００４２】
自動表示メッセージを表示する際には、ＣＡＴよりＢ−ＣＡＳカードへ問い合わせを行うための情報と、再生ストリームからＥＭＭを特定するための情報を取り出す必要がある。これらの情報はCA_DescriptorとCA_Service_Descriptorに記載されているため、ＣＡＴからこの2つのDescriptorだけをＳＩＴに載せる。
【００４３】
具体的には、ステップＳ２０４にてＣＡＴを解析した結果、ステップＳ２０６にてCA_DescriptorとCA_Service_Descriptorが含まれていると判断した場合、あるいはそれに対応するフラグ等が立てられているような場合は、自動表示メッセージの表示が必要であるものと判断し、ステップＳ２０８〜Ｓ２１２の処理を実行する。
【００４４】
本実施例では、まず、ステップＳ２０８にて、ＳＩＴにＣＡＴの中からCA_DescriptorとCA_Service_Descriptorだけをのせて記録する。上述したようにＳＩＴへの記録内容は比較的自由であり、CA_DescriptorとCA_Service_Descriptorをそのまま載せる。
また、ＥＭＭ内で必要な情報はＥＭＭ共通メッセージに限られるため、ＥＭＭ共通メッセージもＳＩＴに載せる。具体的には、ステップＳ２１０にて、制御部１４がCA_DescriptorとCA_Service_Descriptorに基づいてＢ−ＣＡＳカード１９へアクセスしてＥＭＭの特定に必要な情報を取得し、同情報に基づいてＥＭＭを特定する。ＥＭＭが特定されたら、同ＥＭＭを解析することでその中に含まれるＥＭＭ共通メッセージを取得し、ステップＳ２１２にて、制御部１４は同ＥＭＭ共通メッセージの内容をＳＩＴに載せて記録する。
【００４５】
なお、ステップＳ２０８，Ｓ２１０の二回に分けてＳＩＴに情報を記録しているが、二つのＳＩＴを使う必要はなく、一つのＳＩＴに両者を記録している。この意味で、予めＳＩＴのための記憶領域を用意しておき、その中の所定の領域に上述した情報を二度に分けて記憶し、最後に、ＳＩＴ全体を記録するようにしても良い。
【００４６】
ＳＩＴの記録は、制御部１４が再構築部１６に対して明示的にＳＩＴのパケットを記録ＴＳに含めるように指示するものであっても良いし、再構築部１６が明示的に否定的な指示がない限りＳＩＴがあれば同様に記録ＴＳに含めるようにするものであってもよい。
この場合も、再構築部１６が記録ＴＳを再構築する際には、所定のパケットＩＤを付されたＳＩＴのパケットがコンテンツと共に記録されるが、他の制御用のパケットはほぼ省略されていることが分かる。先の実施例と比較すると、本実施例では、さらにＥＭＭのパケットも省略できる。この結果、記録容量を削減しつつ、自動表示メッセージの表示に必要な情報は記録できたことになる。また、ＳＩＴのパケットＩＤは固定のものであって変更もしていないので、互換性に影響を与えることもない。
【００４７】
このように、制御部１４は、ＥＭＭの中から所定のメッセージ（ＥＭＭ共通メッセージ）を抽出し（ステップＳ２１０）、同抽出したメッセージをＳＩＴに含ませ（ステップＳ２０８）、再構築部１６によって同ＳＩＴのパケットを含むように記録用のトランスポートストリーム（記録ＴＳ）を再構築させている（ステップＳ２１２）。
その後、制御部１４は、ステップＳ２１４で他の処理を実行する。例えば、コンテンツに関するパケットの制御などを実行することになる。
【００４８】
図７は、再生時の制御部１４による制御に対応したフローチャートである。
コンテンツを再生する際には、ＳＩＴ解析の際にCA_DescriptorとCA_Service_Descriptorを解析し、Ｂ−ＣＡＳカードへ問い合わせを行うための情報を得る事が可能になる。そして、取り出した情報から、Ｂ−ＣＡＳカードへ問い合わせを行い、ＳＩＴからＥＭＭ共通メッセージの情報解析し自動表示メッセージの表示を行う。
【００４９】
具体的には、制御部１４は、ステップＳ２２２にて、再生を開始させると、記録再生部１７に対して対応するコンテンツの記録ＴＳを読み出させる。前記制御部１４は、再生ストリームを多重分離部１３にてパケットデータに分離させ、分離されたパケットデータの中にＳＩＴがあるか否かをステップＳ２２４にて判断する。
ＳＩＴが含まれている場合、制御部１４は、ステップＳ２２６にて、ＳＩＴにCA_DescriptorとCA_Service_Descriptorがあるか否かを判断する。あるのであれば、「再生時に、前記ＳＩＴを解析し、前記エンタイトルメントマネジメントメッセージ（ＥＭＭ）の表示に必要な情報が含まれている」と判断することができる。そして、ステップＳ２２８では、制御部１４は、同情報に基づいてＢ−ＣＡＳカード１９へアクセスすることで表示方法の情報（表示情報）を取得する。また、ＳＩＴには複数のメッセージが格納されていることもあり得るので、ステップＳ２３０では、Ｂ−ＣＡＳカード１９へアクセスしてメッセージＩＤを取得する。このメッセージＩＤは、ＥＭＭ共通メッセージに含まれる複数のメッセージのうち、どれを使用するかを指定するためのＩＤである。
その後、ステップＳ２３２にて、制御部１４はＳＩＴの中を解析し、メッセージＩＤに基づいてＥＭＭ共通メッセージの中で指定されるメッセージを取得する。
【００５０】
そして、ステップＳ２３４にて、制御部１４は、前記表示方法でこの自動表示メッセージを表示させるようにデコーダ部１５に指示する。
この結果、放送時に放送波ＴＳに自動表示メッセージが含まれていた場合は再生時であっても再現して表示させることが可能となる。
すなわち、ＥＭＭの表示に必要な情報に基づいてＢ−ＣＡＳカード１９へアクセスすることで表示方法の情報を取得すると共に、ＳＩＴに含まれるメッセージを取得し、前記表示方法で同メッセージを表示させるようにデコーダ部１５に指している。
その後、ステップＳ２３６では、再生に必要な他の処理を実行する。
【００５１】
このように、制御部１４は、再生時に、前記ＳＩＴを解析し（ステップＳ２２４，Ｓ２２６）、エンタイトルメントマネジメントメッセージ（ＥＭＭ）の表示に必要な情報が含まれている場合には、同情報に基づいて前記Ｂ−ＣＡＳカードへアクセスすることで表示方法の情報を取得すると共に（ステップＳ２２８）、同ＳＩＴに含まれるメッセージを取得し（ステップＳ２３０，Ｓ２３２）、前記表示方法で同メッセージを表示させるようにデコーダ部１５に指示している（ステップＳ２３４）。
【００５２】
（実施例３）
図８は、再構築の際のパケットデータの移行状況を示す模式図であり、図９は、録画時の制御部１４による制御に対応したフローチャートである。
前述した実施例では、共にＳＩＴにCA_DescriptorとCA_Service_Descriptorを含ませていたが、本実施例では、これらを使用しないものとしている。
【００５３】
ステップＳ３０２，Ｓ３０４，Ｓ３０６は、それぞれ上述したステップＳ１０２，Ｓ１０４，Ｓ１０６と同様である。
ステップＳ３０４にてＣＡＴを解析した結果、ステップＳ３０６にてCA_DescriptorとCA_Service_Descriptorが含まれていると判断した場合、あるいはそれに対応するフラグ等が立てられているような場合は、自動表示メッセージの表示が必要であるものと判断し、ステップＳ３０８〜Ｓ３１２の処理を実行する。
【００５４】
まず、ステップＳ３０８にて、ＣＡＴの中のCA_DescriptorとCA_Service_Descriptorに基づいてＢ−ＣＡＳカード１９へアクセスし、自動表示メッセージ表示情報を得る。これが自動表示メッセージの表示方法の情報（表示情報）である。
【００５５】
ステップＳ３１０では、制御部１４がＥＭＭの特定に必要な情報にＥＭＭを特定し、同ＥＭＭを解析することでその中に含まれるＥＭＭ共通メッセージを取得する。そして、ステップＳ２１２にて、制御部１４は同ＥＭＭ共通メッセージの内容と前記表示情報をＳＩＴに載せて記録する。
このとき、ＥＭＭ共通メッセージをそのままＳＩＴに乗せて記録するようにしても良いし、メッセージＩＤを取得してＥＭＭ共通メッセージの中から必要なメッセージだけを取得してＳＩＴに乗せて記録するようにしても良い。
【００５６】
ＳＩＴの記録は、制御部１４が再構築部１６に対して明示的にＳＩＴのパケットを記録ＴＳに含めるように指示するものであっても良いし、再構築部１６が明示的に否定的な指示がない限りＳＩＴがあれば同様に記録ＴＳに含めるようにするものであってもよい。
本実施例の場合、再構築部１６が記録ＴＳを再構築する際には、所定のパケットＩＤを付されたＳＩＴのパケットがコンテンツと共に記録されるが、ＳＩＴの中にはCA_DescriptorとCA_Service_Descriptorは存在せず、これらを使用して得られた表示情報と、ＥＭＭ共通メッセージだけが記録され、記録容量を削減しつつ、自動表示メッセージの表示に必要な情報は記録できたことになる。
【００５７】
このように、制御部１４は、ＥＭＭの中から所定のメッセージを抽出するとともに（ステップＳ３１０）、ＣＡＴに基づいてＢ−ＣＡＳカードにアクセスし、前記メッセージの表示に必要な表示情報を取得し（ステップＳ３０８）、同メッセージと前記表示情報をＳＩＴに含ませ、再構築部１６によって同ＳＩＴのパケットを含むように記録用のトランスポートストリーム（記録ＴＳ）を再構築させている（ステップＳ３１２）。
【００５８】
その後、制御部１４は、ステップＳ３１４で他の処理を実行する。例えば、コンテンツに関するパケットの制御などを実行することになる。
図１０は、再生時の制御部１４による制御に対応したフローチャートである。
制御部１４は、ステップＳ３２２にて、再生を開始させると、記録再生部１７に対して対応するコンテンツの記録ＴＳを読み出させる。前記制御部１４は、再生ストリームを多重分離部１３にてパケットデータに分離させ、分離されたパケットデータの中にＳＩＴがあるか否かをステップＳ３２４にて判断する。
【００５９】
ＳＩＴが含まれている場合、制御部１４は、ステップＳ３２６にて、同ＥＭＭ共通メッセージの内容と前記表示情報がＳＩＴに載せて記録されているか否かを判断する。あるのであれば、「再生時に、前記ＳＩＴを解析し、前記エンタイトルメントマネジメントメッセージ（ＥＭＭ）の表示に必要な表示情報が含まれている」と判断することができる。そして、ステップＳ３３４では、解析して得られている前記ＥＭＭ共通メッセージの内容と前記表示情報に基づいて自動表示メッセージを表示させるようにデコーダ部１５に指示する。
【００６０】
すなわち、制御部１４は、前記メッセージと表示に必要な情報を抽出すると共に（ステップＳ３２４）、同必要な表示情報に基づいて同メッセージを表示させるようにデコーダ部１５に指示する（ステップＳ３３４）。このとき、ＳＩＴにＥＭＭ共通メッセージの内容として、必要なメッセージだけが記録されていればそれを自動表示メッセージとすればよいし、ＥＭＭ共通メッセージがそのまま載せられていて複数のメッセージが含まれていれば、メッセージＩＤを取得してＥＭＭ共通メッセージの中から必要なメッセージを抽出して表示する。
この結果、放送時に放送波ＴＳに自動表示メッセージが含まれていた場合は再生時であっても再現して表示させることが可能となる。
その後、ステップＳ３３６では、再生に必要な他の処理を実行する。
【００６１】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００６２】
１１…チューナ、１２…デマルチプレクサ、１３…多重分離部、１４…制御部、１５…デコーダ部、１６…再構築部、１７…記録再生部、１８…記録媒体、１９…Ｂ−ＣＡＳカード。
【図１】
2015119253.tif 000003
【図２】
2015119253.tif 000004
【図３】
2015119253.tif 000005
【図４】
2015119253.tif 000006
【図５】
2015119253.tif 000007
【図６】
2015119253.tif 000008
【図７】
2015119253.tif 000009
【図８】
2015119253.tif 000010
【図９】
2015119253.tif 000011
【図１０】
2015119253.tif 000012